(57)【要約】【課題】本発明は、踏板を低コストで十分に清掃することができる乗客コンベアの踏板清掃装置を得ることを目的とするものである。【解決手段】踏板４から落下するゴミを受けるトレイを有する清掃装置本体９を、下部反転部６Ａの下方に位置するオイルパン７上に配置した。清掃装置本体９上には、踏板４に接触するブラシ１０を取り付けた。清掃装置本体９は、固定装置１１によりオイルパン７に固定した。清掃装置本体９は、固定装置１１を外すことにより清掃位置からトラスエンド側へ引き出し可能になっている。【選択図】　　　　図１
2004018144.tif 000002
【特許請求の範囲】
【請求項１】
踏板から落下するゴミを受けるゴミ受け部を有し、踏段反転部の下方に位置するオイルパン上に配置される清掃装置本体、
上記清掃装置本体上に設けられ、上記踏板に接触するブラシ、及び
上記清掃装置本体のトラスエンド側端部に設けられ、上記踏段反転部の下方の清掃位置に位置するように上記清掃装置本体を上記オイルパンに固定する固定装置
を備え、上記清掃装置本体は、上記固定装置を外すことにより上記清掃位置から上記トラスエンド側へ引き出し可能になっていることを特徴とする乗客コンベアの踏板清掃装置。
【請求項２】
上記オイルパン上に設けられ、上記清掃装置本体が上記清掃位置にあるときに上記清掃装置本体に係合することにより上記清掃装置本体の上記オイルパンからの浮き上がりを防止する浮き上がり防止押さえをさらに備えていることを特徴とする請求項１記載の乗客コンベアの踏板清掃装置。
【請求項３】
上記清掃装置本体は、上記清掃装置本体を上記清掃位置から引き出す際に上記オイルパン上を転動されるコロを有していることを特徴とする請求項１又は請求項２に記載の乗客コンベアの踏板清掃装置。
【請求項４】
上記清掃装置本体は、支持枠と、この支持枠上に置かれた上記ゴミ受け部とを有し、上記ゴミ受け部は、上記支持枠を上記清掃位置に固定したままでトラスエンド側へ引き出し可能になっていることを特徴とする請求項１ないし請求項３のいずれかに記載の乗客コンベアの踏板清掃装置。
【請求項５】
上記ゴミ受け部の周縁部の少なくとも一部には、上記ゴミ受け部上の上記ゴミが周囲に散り広がるのを防止する飛散防止壁部が設けられていることを特徴とする請求項１ないし請求項４のいずれかに記載の乗客コンベアの踏板清掃装置。
【請求項６】
上記乗客コンベアの一方の踏段反転部の下方に、上記清掃装置本体、上記ブラシ及び上記固定装置が設けられており、
他方の踏段反転部の下方に位置するオイルパン上に敷かれ、上記踏板から落下するゴミを受けるゴミ受けシート、及び
上記他方の踏段反転部に対向するように上記ゴミ受けシートの上方に配置され、上記踏板から飛散したゴミを遮蔽して上記ゴミ受けシート上に落とすゴミ飛散防止カバー
をさらに備えていることを特徴とする請求項１ないし請求項５のいずれかに記載の乗客コンベアの踏板清掃装置。
【請求項７】
踏段反転部の下方に位置するオイルパン上に敷かれ、踏板から落下するゴミを受けるゴミ受けシート、及び
上記踏段反転部に対向するように上記ゴミ受けシートの上方に配置され、上記踏板から飛散したゴミを遮蔽して上記ゴミ受けシート上に落とすゴミ飛散防止カバー
を備えていることを特徴とする乗客コンベアの踏板清掃装置。
【請求項８】
上記ゴミ飛散防止カバーの近傍で上記踏板に接触するブラシをさらに備えていることを特徴とする請求項７記載の乗客コンベアの踏板清掃装置。
【発明の詳細な説明】
【０００１】
【発明の属する技術分野】
この発明は、例えばエスカレータ又は動く歩道の踏板を清掃する乗客コンベアの踏板清掃装置に関するものである。
【０００２】
【従来の技術】
従来の乗客コンベアの踏板清掃装置として、例えば特開平４−３１７９９１号公報には、踏段経路の帰路側で踏板にエアを吹き付けてゴミを吹き飛ばし、飛散したゴミを受け皿内に吸引するものが示されている。また、特開平７−２５２０８１号公報には、オイルパン上に清掃用マットを敷き詰めた踏板清掃装置が示されている。
【０００３】
【発明が解決しようとする課題】
上記のような従来の踏板清掃装置のうち、エアを吹き付けるタイプのものは、非常に大掛かりな装置が必要となり、コストが高くなってしまう。また、電源が必要であり、電力消費によるランニングコストもかかってしまう。さらに、オイルパン上に落下したゴミを集めるタイプのものでは、踏板に付着して自然落下しないゴミが踏板にそのまま残ってしまい、十分な清掃を行うことができなかった。さらにまた、踏板取付用のビスの緩みを検知するセンサを使用している場合、踏板に残っているゴミをビスの緩みと誤判定する恐れがあった。
【０００４】
この発明は、上記のような問題点を解決することを課題としてなされたものであり、踏板を低コストで十分に清掃することができる乗客コンベアの踏板清掃装置を得ることを目的とする。
【０００５】
【課題を解決するための手段】
この発明に係る乗客コンベアの踏板清掃装置は、踏板から落下するゴミを受けるゴミ受け部を有し、踏段反転部の下方に位置するオイルパン上に配置される清掃装置本体、清掃装置本体上に設けられ、踏板に接触するブラシ、及び清掃装置本体のトラスエンド側端部に設けられ、踏段反転部の下方の清掃位置に位置するように清掃装置本体をオイルパンに固定する固定装置を備え、清掃装置本体は、固定装置を外すことにより清掃位置からトラスエンド側へ引き出し可能になっているものである。
【０００６】
また、踏板清掃装置は、オイルパン上に設けられ、清掃装置本体が清掃位置にあるときに清掃装置本体に係合することにより清掃装置本体のオイルパンからの浮き上がりを防止する浮き上がり防止押さえをさらに備えている。
さらに、清掃装置本体は、清掃装置本体を清掃位置から引き出す際にオイルパン上を転動されるコロを有している。
さらにまた、清掃装置本体は、支持枠と、この支持枠上に置かれたゴミ受け部とを有し、ゴミ受け部は、支持枠を清掃位置に固定したままでトラスエンド側へ引き出し可能になっている。
また、ゴミ受け部の周縁部の少なくとも一部には、ゴミ受け部上のゴミが周囲に散り広がるのを防止する飛散防止壁部が設けられている。
さらに、踏板清掃装置は、乗客コンベアの一方の踏段反転部の下方に、清掃装置本体、ブラシ及び固定装置が設けられており、他方の踏段反転部の下方に位置するオイルパン上に敷かれ、踏板から落下するゴミを受けるゴミ受けシート、及び他方の踏段反転部に対向するようにゴミ受けシートの上方に配置され、踏板から飛散したゴミを遮蔽してゴミ受けシート上に落とすゴミ飛散防止カバーをさらに備えている。
【０００７】
この発明に係る乗客コンベアの踏板清掃装置は、踏段反転部の下方に位置するオイルパン上に敷かれ、踏板から落下するゴミを受けるゴミ受けシート、及び踏段反転部に対向するようにゴミ受けシートの上方に配置され、踏板から飛散したゴミを遮蔽してゴミ受けシート上に落とすゴミ飛散防止カバーを備えたものである。
また、踏板清掃装置は、ゴミ飛散防止カバーの近傍で踏板に接触するブラシをさらに備えている。
【０００８】
【発明の実施の形態】
以下、この発明の実施の形態を図について説明する。
実施の形態１．
図１はこの発明の実施の形態１によるエスカレータの要部を示す側面図である。図において、トラス１には、無端状に連結された複数の踏段２が支持されている。踏段２は、フレーム３と、踏面を形成する踏板４とを有している。また、踏段２は、踏段チェーン５により互いに連結されている。
【０００９】
踏段２は、循環経路に沿って循環移動される。踏段２の循環経路は、往路、帰路、一方の踏段反転部である下部反転部６Ａ、及び他方の踏段反転部である上部反転部を含んでいる。
【００１０】
下部反転部６Ａの下方には、踏段チェーン５から滴下する潤滑油を受けるオイルパン７が設置されている。オイルパン７上には、踏板４の表面を清掃する踏板清掃装置８が配置されている。
【００１１】
踏板清掃装置８は、清掃装置本体９、清掃装置本体９上に設けられ、踏板４に接触するブラシ１０、清掃装置本体９のトラスエンド側端部に設けられ、下部反転部６Ａの下方の清掃位置（図１に示す位置）に位置するように清掃装置本体９をオイルパン７に固定する複数の固定装置１１、及びオイルパン７上に設けられ、清掃装置本体９が清掃位置にあるときに清掃装置本体９に係合することにより清掃装置本体９のオイルパン７からの浮き上がりを防止する一対の浮き上がり防止押さえ１２を有している。
【００１２】
清掃装置本体９は、固定装置１１を外すことにより清掃位置からトラスエンド側（図１の左側）へ引き出し可能になっている。
【００１３】
図２は図１の踏板清掃装置８を示す側面図、図３は図１のＩＩＩ−ＩＩＩ線に沿う断面図、図１の踏板清掃装置８を示す平面図である。清掃装置本体９は、踏板４から落下するゴミを受けるゴミ受け部としての平板状のトレイ１３、トレイ１３の反トラスエンド側端部の下面に設けられている複数のコロ１４、及びトレイ１３上にブラシ１０を固定するブラシ取付具１５を有している。
【００１４】
コロ１４は、清掃装置本体９を清掃位置から引き出す際にオイルパン７上を転動される。トレイ１３の周縁部の少なくとも一部には、トレイ１３上のゴミが周囲に散り広がるのを防止する飛散防止壁部１３ａが設けられている。浮き上がり防止押さえ１２は、トレイ１３の反トラスエンド側端部の上面に対向するようにオイルパン７に溶接等により固定されている。飛散防止壁部１３ａは、清掃装置本体９を移動させる際に浮き上がり防止押さえ１２に干渉しないように形成されている。
【００１５】
ブラシ取付具１５は、トレイ１３上に溶接等により固定され踏段２の幅方向と平行に延びる第１のアングル１６、第１のアングル１６との間にブラシ１０を挟持する複数の第２のアングル１７、第１及び第２のアングル１６，１７間に設けられている締め付けボルト１８、及び第２のアングル１７に設けられ、第１及び第２のアングル１６，１７間からのブラシ１０の抜けを防止するブラシ押さえ１９を有している。
【００１６】
オイルパン７上には、平板状の複数のスペーサ２０が溶接等により固定されている。固定装置１１は、スペーサ２０に取り付けられている。即ち、トレイ１３のトラスエンド側端部は、スペーサ２０上に載せられている。これにより、トレイ１３の下面とオイルパン７の上面との間には、隙間が設けられている。
【００１７】
図５は図１の固定装置１１を示す正面図、図６は図５の固定装置１１を示す平面図である。固定装置１１は、スペーサ２０とトレイ１３との間に結合されたＬ字形のブラケット２１、ブラケット２１をスペーサ２０に固定する複数の第１のボルト２２、ブラケット２１をトレイ１３に締結する複数の第２のボルト２３、及び第２のボルト２３に螺着される複数のナット２４を有している。
【００１８】
スペーサ２０には、第１のボルト２２が螺着される複数のねじ穴（タップ穴）２０ａが設けられている。スペーサ２０へのブラケット２１の固定位置は、第１のボルト２２を螺着するねじ穴２０ａを選択することにより、トラス１の長手方向（図４の左右方向）に調整可能になっている。
【００１９】
また、ブラケット２１には、第１のボルト２２が通される複数の第１の長穴２１ａが設けられている。スペーサ２０へのブラケット２１の固定位置は、第１のボルト２２に対する第１の長穴２１ａの位置を調整することによっても、トラス１の長手方向に調整可能になっている。
【００２０】
さらに、ブラケット２１には、第２のボルト２４が通される複数の第２の長穴２１ｂが設けられている。ブラケット２１へのトレイ１３の固定位置は、第２の長穴２１ｂに対する第２のボルト２３の位置を調整することによって、踏段２の幅方向に調整可能になっている。
【００２１】
このような踏板清掃装置８では、踏段２が循環移動される際、ブラシ１０が踏板４に接触することにより、踏板４に付着した綿埃等のゴミが掃き取られる。踏板４から掃き取られたゴミは、重力により落下し、トレイ１３により受けられる。従って、踏板４を低コストで十分に清掃することができる。
【００２２】
また、トレイ１３上に溜まったゴミを除去する場合、第１のボルト２２が取り外され、トレイ１３がトラスエンド側、即ち機械室側へ引き出される。これにより、下部反転部６Ａの下方の空間に作業員の手や体を潜り込ませることなく、機械室内の比較的広い空間でゴミの除去作業を容易に行うことができる。
【００２３】
同様に、初期据付時のブラシ１０の高さ調整作業、踏段チェーン５が伸びた場合のブラシ１０の高さの再調整作業、及びブラシ１０の交換作業等についても、トレイ１３を引き出して容易に行うことができる。さらに、固定装置１１は、オイルパン７に固定されるため、設置が容易である。
【００２４】
踏板４清掃用のブラシ１０としては、踏板４の表面を傷つけないように比較的柔らく毛足の長いものを用いるのが好ましい。しかし、そのようなブラシ１０を用いると、へたりが早く、清掃効果も低下してしまう。これに対し、実施の形態１の装置によれば、ブラシ１０を容易に交換できるため、十分な清掃効果を容易に維持することができる。
【００２５】
さらにまた、固定装置１１は、トレイ１３のトラスエンド側端部にのみ設けられているため、固定装置１１を取り外す作業も機械室側から容易に行うことができる。また、トラス１の長手方向及び踏段２の幅方向へのトレイ１３の設置位置を固定装置１１により容易に調整することができる。
【００２６】
また、オイルパン７上に浮き上がり防止押さえ１２が固定されているので、清掃装置本体９のオイルパン７からの浮き上がりを簡単な構造により防止することができる。
【００２７】
さらに、トレイ１３の下面に回転自在のコロ１４を設けたので、トレイ１３の引き出し作業をより容易に行うことができる。
さらにまた、トレイ１３の周縁部に飛散防止壁部１３ａを設けたので、トレイ１３上のゴミが周囲に散り広がるのを防止することができる。
【００２８】
実施の形態２．
次に、図７はこの発明の実施の形態２による乗客コンベアの踏板清掃装置を示す側面図、図８は図７のＶＩＩＩ−ＶＩＩＩ線に沿う断面図である。図において、清掃装置本体３１は、固定装置１１によりトレイ７上に固定される支持枠３２、支持枠３２の下面に設けられている複数のコロ１４、及び支持枠３２上に置かれたトレイ状のゴミ受け部３３を有している。
【００２９】
ゴミ受け部３３は、支持枠３２を清掃位置に固定したままでトラスエンド側へ引き出し可能になっている。ゴミ受け部３３の周縁部（四辺）には、飛散防止壁部３３ａが設けられている。ゴミ受け部３３のトラスエンド側端部には、取っ手３４が固定されている。また、ゴミ受け部３３の下面には、回転自在の複数のコロ３５が設けられている。支持枠３６上には、コロ３５が落とし込まれる複数の窪み２３ａが設けられている。
【００３０】
支持枠３２上には、一対のブラシ支持部材３６が固定されている。ブラシ１０は、一対のボルト３７によりブラシ支持部材３６上に固定されている。ブラシ１０と支持枠３２との間には、開口部３８が設けられており、この開口部３８にゴミ受け部３３が挿通されている。従って、ブラシ１０の前後両側に落下したゴミをゴミ受け部３３で受けることができる。他の構成は、実施の形態１と同様である。
【００３１】
このような踏板清掃装置によれば、固定装置１１を取り外すことなく、ゴミ受け部３３のみをトラスエンド側に簡単に引き出すことができる。従って、ゴミ受け部３３内のゴミの除去作業をさらに容易にすることができる。
【００３２】
実施の形態３．
次に、図９はこの発明の実施の形態３による乗客コンベアの踏板清掃装置の一部を示す側面図、図１０は図９のＸ−Ｘ線に沿う断面図である。他方の踏段反転部である上部反転部６Ｂの下方には、オイルパン４１が設置されている。オイルパン４１上には、踏板４から落下するゴミを受けるゴミ受けシート４２が敷かれている。ゴミ受けシート４２は、特に固定せず、単に敷かれているだけである。ゴミ受けシート４２としては、柔らか過ぎると敷き詰めるのが難しくなるため、ある程度の硬度を有するもの、例えば硬質樹脂製シートが用いられる。
【００３３】
トラス１には、乗降口の床板４３を支持する床板支持アングル４４が固定されている。床板支持アングル４４には、踏板４から飛散したゴミを遮蔽してゴミ受けシート４２上に落とすゴミ飛散防止カバー４５が複数のねじ４６により固定されている。ゴミ飛散防止カバー４５は、上部反転部６Ｂに対向するようにゴミ受けシート４２の上方に垂直に配置されている。言い換えると、ゴミ受けシート４２は、反転中心に位置する上部スプロケット（図示せず）の下方からゴミ飛散防止カバー４５の下方まで敷かれている。
【００３４】
図９には、上部反転部６Ｂ付近の構成を示したが、下部反転部６Ａ付近の構成は、実施の形態１、２と同様である。即ち、下部反転部６Ａの下方には、清掃装置本体９，３１、ブラシ１０及び固定装置１１等が設けられている。
【００３５】
このような踏板清掃装置では、例えば踏段２を上昇運転する場合であっても、下部反転部６Ａの周囲よりもスペースが狭い上部反転部６Ｂの周囲には、簡易なゴミ受けシート４２及びゴミ飛散防止カバー４５のみが配置される。これにより、上部反転部６Ｂで踏板４から自然に落下するゴミは、ゴミ飛散防止カバー４５に当たって、又は直接、ゴミ受けシート４２上に集まる。
【００３６】
また、上部反転部６Ｂで自然落下せず、弱い静電気や油汚れ等により踏板４に付着したままのゴミ（又はクリートに挟まったままのゴミ）は、下部反転部６Ａで実施の形態１、２と同様にブラシ１０により掃き落とされる。
【００３７】
従って、上部反転部６Ｂ側の構造を簡単にしつつ、踏板４を低コストで効率良く清掃することができる。また、ゴミ受けシート４２上に堆積したゴミは、ゴミ受けシート４２を上部反転部６Ｂの下方から引き出すことで容易に除去することができる。ゴミ受けシート４２を引き出す程度の作業であれば、作業空間に制約のある上部反転部６Ｂ付近であっても十分に実施可能である。
【００３８】
実施の形態４．
次に、図１１はこの発明の実施の形態４による乗客コンベアの踏板清掃装置の一部を示す側面図、図１２は図１１のＸＩＩ−ＸＩＩ線に沿う断面図である。図において、トラス１には、ブラシ取付部４６が設けられている。ブラシ取付部４６には、ゴミ飛散防止カバー４５の近傍で踏板４に接触するブラシ４７が取り付けられている。他の構成は、実施の形態３と同様である。
【００３９】
このような乗客コンベアの踏板清掃装置では、特に踏段２の上昇運転時にブラシ４７により踏板４に付着したゴミが掃き落とされる。踏段４から掃き出されたゴミは、ゴミ飛散防止カバー４５に当たって、又は直接、ゴミ受けシート４２上に集まる。また、踏段２の下降運転時にもブラシ４７が邪魔になることはない。従って、踏板４を低コストで効率良く清掃することができる。
【００４０】
【発明の効果】
以上説明したように、この発明の乗客コンベアの踏板清掃装置は、踏板から落下するゴミを受けるゴミ受け部を有する清掃装置本体を、踏段反転部の下方に位置するオイルパン上に配置し、踏板に接触するブラシを清掃装置本体上に設け、ブラシにより踏板から掃き落とされたゴミをゴミ受け部で受けるようにしたので、踏板を低コストで十分に清掃することができる。また、固定装置を外すことにより清掃装置本体が清掃位置からトラスエンド側へ引き出し可能になっているので、踏段反転部の下方の空間に作業員の手や体を潜り込ませることなく、ゴミ受け部上のゴミの除去作業、ブラシの高さ調整作業、ブラシの交換作業等を容易に行うことができる。さらに、固定装置は、オイルパンに固定されるため、設置が容易である。
【００４１】
また、清掃装置本体が清掃位置にあるときに清掃装置本体に係合する浮き上がり防止押さえをオイルパン上に設けたので、簡単な構造で、清掃装置本体のオイルパンからの浮き上がりを防止することができる。
さらに、清掃装置本体にコロを設けたので、清掃装置本体を容易に移動させることができる。
さらにまた、支持枠とこの支持枠上に置かれたゴミ受け部とを有する清掃装置本体を用い、支持枠を清掃位置に固定したままでゴミ受け部がトラスエンド側へ引き出せるようにしたので、ゴミ受け部上のゴミの除去作業をさらに容易に行うことができる。
また、ゴミ受け部の周縁部の少なくとも一部に飛散防止壁部を設けたので、簡単な構造で、ゴミ受け部上のゴミが周囲に散り広がるのを防止することができる。
さらに、乗客コンベアの一方の踏段反転部の下方に、清掃装置本体、ブラシ及び固定装置を設け、他方の踏段反転部の下方にはゴミ受けシートを敷き、ゴミ受けシートの上方には、他方の踏段反転部に対向するようにゴミ飛散防止カバーを配置したので、他方の踏段反転部側の構造を簡単にしつつ、踏板を低コストで効率良く清掃することができる。
【００４２】
また、この発明の乗客コンベアの踏板清掃装置は、踏段反転部の下方に位置するオイルパン上に敷かれ、踏板から落下するゴミを受けるゴミ受けシート、及び踏段反転部に対向するようにゴミ受けシートの上方に配置され、踏板から飛散したゴミを遮蔽してゴミ受けシート上に落とすゴミ飛散防止カバーを備えたので、低コストかつ簡単な構造で踏板を清掃することができる。
また、ゴミ飛散防止カバーの近傍で踏板に接触するブラシをさらに備えたので、踏板に付着したゴミをより確実に落とすことができる。
【図面の簡単な説明】
【図１】この発明の実施の形態１によるエスカレータの要部を示す側面図である。
【図２】図１の踏板清掃装置を示す側面図である。
【図３】図２のＩＩＩ−ＩＩＩ線に沿う断面図である。
【図４】図１の踏板清掃装置を示す平面図である。
【図５】図１の固定装置を示す正面図である。
【図６】図５の固定装置を示す平面図である。
【図７】この発明の実施の形態２による乗客コンベアの踏板清掃装置を示す側面図である。
【図８】図７のＶＩＩＩ−ＶＩＩＩ線に沿う断面図である。
【図９】この発明の実施の形態３による乗客コンベアの踏板清掃装置の一部を示す側面図である。
【図１０】図９のＸ−Ｘ線に沿う断面図である。
【図１１】この発明の実施の形態４による乗客コンベアの踏板清掃装置の一部を示す側面図である。
【図１２】図１１のＸＩＩ−ＸＩＩ線に沿う断面図である。
【符号の説明】
１　トラス、４　踏板、８　踏板清掃装置、９，３１　清掃装置本体、１０，４７　ブラシ、１１　固定装置、１２　浮き上がり防止押さえ、１３　トレイ（ゴミ受け部）、１３ａ　飛散防止壁部、１４　コロ、３２　支持枠、３３　ゴミ受け部、４２　ゴミ受けシート、４５　ゴミ飛散防止カバー。
【図１】
2004018144.tif 000003
【図２】
2004018144.tif 000004
【図３】
2004018144.tif 000005
【図４】
2004018144.tif 000006
【図５】
2004018144.tif 000007
【図６】
2004018144.tif 000008
【図７】
2004018144.tif 000009
【図８】
2004018144.tif 000010
【図９】
2004018144.tif 000011
【図１０】
2004018144.tif 000012
【図１１】
2004018144.tif 000013
【図１２】
2004018144.tif 000014